(57)【特許請求の範囲】
【請求項１】
表面に感光層形成用塗布液を浸漬塗布法により塗布した、円筒軸を垂直方向に向けて吊り下げられて降下してくる円筒状基体の下端部の塗膜を除去する装置であって、前記基体の下端部の塗膜を拭き取るための拭き取り治具、前記拭き取り治具を支持し、回転させる自転ディスクおよび前記自転ディスクを支持し回転させる支持部材から主としてなり、前記自転ディスクと支持部材とをスプリングを介して接続することにより、円筒状基体が円筒軸を垂直方向を外れた方向に向けて傾いて吊り下げられて降下してきた場合には、前記拭き取り治具が円筒状基体の傾きに呼応して上下動および首振りして円筒状基体の下端面に密接するようにしたことを特徴とする電子写真感光体製造用塗膜除去装置。
【請求項２】
前記拭き取り治具に設けた頭付き棒状突起を、前記自転ディスクに穿設した前記頭付き棒状突起の頭部が嵌入するだけの大きさの穴に差し込むことにより前記拭き取り治具と前記自転ディスクを結合した請求項１記載の電子写真感光体製造用塗膜除去装置。
【請求項３】
下端部内面又は外面或いは双方の塗膜を拭き取ることができる請求項１または２記載の電子写真感光体製造用塗膜除去装置。
【請求項４】
前記拭き取り治具の円筒状基体の下端面が接触するところにスペーサーを設けることにより、除去する円筒状基体の下端部の塗膜の軸方向の長さを調整する請求項１〜３のいずれかに記載の電子写真感光体製造用塗膜除去装置。
【発明の詳細な説明】
【０００１】
【発明の属する技術分野】
本発明は、電子写真感光体製造用塗膜除去装置に関する。特に浸漬塗布法により感光層形成用塗布液を塗布された電子写真感光体基体の端部の塗膜を拭き取り除去する装置に関するものである。
【０００２】
【従来の技術】
アルミニウム等の金属製の円筒状基体の表面に感光層形成用塗布液を浸漬塗布法により塗布して電子写真感光体を製造することは、広く行われている。この場合、浸漬された部分は塗膜が形成されることになる。しかし、電子写真感光体の両端部には導通を取る必要があったり、各種部材を接続するために塗膜のない部分を形成する必要がある。一端部については円筒軸が垂直になるように吊り下げて無塗膜部分は塗布液に浸漬しないように降下、浸漬すれば比較的容易に無塗膜部分を形成することが可能であるが、しかし他端部である吊り下げた時の下端部は浸漬する際には不可避的に塗布液中に浸漬されるから必ず塗膜が形成されることになる。そのために浸漬塗布法の場合には一旦形成された塗膜を部分的に拭き取り除去する必要がある。
【０００３】
【発明が解決しようとする課題】
下端部の塗膜を拭き取り除去する場合、重要なことは除去する部分が常に所望の範囲におさまることであり、除去したすべての基体が均一なことである。しかし、それを精度よく、しかも効率的に行うことは容易ではない。
従来普通に行われている方法では、先ず位置が固定されている塗膜除去装置に円筒軸を垂直に吊り下げた円筒状基体を降下させ、一定の長さ降下させたところで除去装置が作動して拭き取り除去されるが、その場合、円筒状基体を総て精確に円筒軸を垂直に吊り下げることは難しく、なおかつ高さ位置も一定しない状態で塗膜除去操作が行われる。その結果、塗膜除去部分が一定の巾で（基体端面より等距離となる）除去されず、又、その除去される部分の巾も基体毎にばらつきを生じる。
【０００４】
また、円筒状基体の径が変った場合には、塗膜除去装置、一般には拭き取り治具を取り替える必要があるが、これ又非常に手間がかかる作業であり、効率上問題となっている。
本発明者は、電子写真感光層形成用塗布液を浸漬塗布法により塗布され、円筒軸を垂直に吊り下げられた円筒状基体の下端部の塗膜を、所望の部分、精確に拭き取り除去する装置であり、径の変化に伴なう拭き取り治具の交換も容易な塗膜除去装置を開発するべく検討を重ね、本発明に到達した。
【０００５】
【課題を解決するための手段】
すなわち、本発明は、表面に感光層形成用塗布液を浸漬塗布法により塗布した、円筒軸を垂直に保持した円筒状基体の下端部の塗膜を所望の範囲除去する装置であって、主として前記円筒状基体の下端部の塗膜を拭き取るための拭き取り治具、前記拭き取り治具を支持し、回転させる自転ディスクおよび前記自転ディスクを支持し回転させる支持部材からなり、前記自転ディスクと支持部材をスプリングを介して接続することにより、前記拭き取り治具及び自転ディスクを上下動および首振り可能にしたことを特徴とする電子写真感光体製造用塗膜除去装置を要旨とするものである。
【０００６】
また、前記拭き取り治具に設けた頭付き棒状突起を前記自転ディスクに穿設した前記頭付き棒状突起の頭部が嵌入するだけの大きさの穴に挿し込むことにより前記拭き取り治具と前記自転ディスクを結合するようにした電子写真感光体製造用塗膜除去装置を要旨とするものである。
以下、本発明を詳細に説明する。
本発明に供される電子写真感光体基体はアルミニウム、黄銅あるいはステンレススチール等の金属製、その他硬質紙製や合成樹脂製の円筒状物の表面に導電性皮膜を形成させた通常の基体である。
【０００７】
図１は本発明の電子写真感光体製造用塗膜除去装置の概略説明図である。
図中、１は拭き取り治具、２は自転ディスク、３はスプリング、４は支持部材、５は円筒状基体であり、１１は内面拭き取り部材、１２は外面拭き取り部材、１３は頭付き棒状突起である。拭き取り治具１は円筒状基体をガイドする傘型のコーン部と拭き取り部材から主として成り、下部に設けた頭付き棒状突起１３を自転ディスク２に穿設した前記頭付き棒状突起１３の頭部がちょうど嵌入するだけの大きさの穴に挿し込んでセットされている。
【０００８】
これだけの簡単な構成で拭き取り治具１と自転ディスク２は拭き取り除去操作中、外れることはない。
自転ディスク２から拭き取り治具１を取り外すには、自転ディスク２に穿設した穴と頭付き棒状突起１３の頭部の位置を合わせて引き抜くだけで簡単に取り外すことができる。
このように、本発明の装置においては、拭き取り治具１と自転ディスク２とはセット及び取り外しが効率よく行えるのである。
【０００９】
自転ディスク２はその中心を貫通している支持部材４の自転シャフトにより支持されており、また支持部材４とスプリング３を介して接続されている。スプリング３は拭き取り治具１、自転ディスク２の重量および塗膜除去する円筒状基体の押圧力によってその大きさ等適宜選択されるが、例えば線径１〜２ｍｍのバネ鋼やピアノ線を用いたコイル外径が２５〜３０ｍｍ、巻き数２〜６回、撓み量１０〜３０ｍｍ、せん断応力２０〜４０ｋｇ／ｍｍ２  程度のものが使用される。
【００１０】
拭き取り治具１は上から塗膜除去される円筒状基体５によって圧力が加えられると自転ディスク２と共にスプリング３を圧縮して密接する。円筒状基体５が円筒軸を垂直方向を外れた方向に向けて傾いて吊り下げられて降下してきた場合には、前記拭き取り治具１は円筒状基体５の傾きに呼応して上下動および首振りして円筒状基体の下端面に密接する。その結果、拭き取り治具１はいかなる場合でも所望範囲の拭き取りができるのである。
【００１１】
図２は円筒状基体５が円筒軸を垂直方向から外れて傾いて吊り下げられて降下して来た場合の塗膜除去装置の状態を示す図である。
次に、図３は拭き取り治具１を自転ディスクにセットする仕方を説明する図である。この図で理解されるように拭き取り治具１は頭付き棒状突起１３の頭部と自転ディスク２に穿設された穴の位置が一致した時に自転ディスク２にセットされるし、また取り外すことができる。拭き取り除去操作中に拭き取り治具１が自転ディスク２から脱離する恐れはない。
【００１２】
【発明の実施の形態】
本発明の電子写真感光体製造用塗膜除去装置は、従来一般に使用されている装置が拭き取り治具と自転ディスクが支持部材にネジ止めされているのに対し、拭き取り治具と自転ディスクは拭き取り治具に設けた頭付き棒状突起を自転ディスクに穿設した穴に嵌合するといった簡単な結合によりセットされ、自転ディスクは支持部材にスプリングを介して接続され、拭き取り治具と自転ディスクは支持部材に単に載置されているような状態で存在している。
【００１３】
拭き取り治具に設ける頭付き棒状突起の数は３個以上、好ましくは４個以上、同一円周上、等間隔をおいて設けることが好ましい。その形状は断面が逆さＴ字形とし、頸部の長さを自転ディスクの厚さより僅かに長目にするのが安定した係合状態をもたらす。
自転ディスクに穿設する穴は、それにセットする拭き取り治具に設けた頭付き棒状突起の頭部に位置合わせして設ける。
【００１４】
拭き取り治具が大小数種類ある場合、その大きさ毎に設ける頭付き棒状突起の大きさを変える時には、自転ディスクに設ける穴もそれに合わせて大きさ、位置を変えることになる。いずれにしても、拭き取り治具のセット及び取り外しに便利なように適宜選択決定することが好ましい。
勿論、頭付き棒状突起の大きさ、位置をすべての拭き取り治具とも同一としても良い。
【００１５】
拭き取り治具には拭き取り除去する円筒状基体の下端面の接する位置に種々の厚さのスペーサーを取り変え設置することにより塗膜除去部分の巾を調節する方法も採用される。
拭き取り治具における拭き取り部材は、ブラシが一般的であるが、天然又は合成繊維から成る編織物あるいは不織布製のパッドあるいは合成樹脂製のスポンジのようなものでもよい。
【００１６】
支持部材は自転ディスクの高さ位置を変えられるように下端レベル調整機能を設けると便利である。
支持部材は自転ディスクとスプリングを介して接続しているが、支持部材の自転シャフトは拭き取り治具および自転ディスクの中心を貫通して伸びており回転する拭き取り治具と自転ディスクの回転軸が多少ずれても差し支えないように拭き取り治具と自転ディスクに設けた貫通孔と自転シャフトの径の間には余裕をもたせてある。
【００１７】
【実施例】
以下、本発明を実施例を挙げて具体的に説明するが、本発明はこの実施例に限定されるものではない。
［実施例１］
表面に下記構造式Ａで示されるアゾ顔料１００重量部、ポリビニルブチラール樹脂１００重量部、溶媒としてジメトキシエタンとペントキソンの９：１（重量比）混合物４８００重量部からなる固形分濃度４重量％の電荷発生層塗布液を浸漬塗布し、乾燥させ、次いで、下記構造式Ｂで示されるヒドラゾン化合物１００重量部、ポリカーボネート樹脂１００重量部、溶媒として１，４−ジオキサンとテトラヒドロフランの４：６（重量比）混合物４６７重量部からなる固形分濃度３０重量％の電荷輸送層塗布液を浸漬塗布して感光層を形成した外径１００ｍｍ、長さ３４０ｍｍ、肉厚１．５ｍｍのアルミニウム製円筒状基体を、図１の装置に供給してその下端部内面および外面の塗膜除去を実施した。
【００１８】
テトラヒドロフランからなる拭き取り液を含んだ除去部材１１および１２を上昇させて回転させながら待機させる。なお除去部材１１および１２はナイロン樹脂製ブラシを用いた。除去部材１１および１２のブラシの接触代は１．５ｍｍである。
感光層形成用塗布液を塗布した前記円筒状アルミニウム製基体をエアーリフターにより吊り下げて、下降させ、下端部端面を拭き取り治具１に接触させ、更に押し下げてスプリング３を圧縮させて停止させる。円筒状基体はそこでその下端部内面と外面の塗膜が除去部材１１および１２の回転摩擦力とそれらに含まれた拭き取り液の作用で除去される。除去に要する時間は約３０秒であった。得られた円筒状基体は下端部内面および外面の塗膜が所望の巾に完全に除去されていた。繰り返し除去操作を行ったが、いずれも所望の巾に精度よく除去されていた。
【００１９】
【化１】
0003602907.tif 000002
【００２０】
【発明の効果】
本発明の装置は、電子写真感光体形成用塗布液を浸漬塗布法により塗布した円筒状基体の一端部の内面および外面の塗膜を効率よく除去することができ、電子写真感光体の製造に益するところ大である。
【図面の簡単な説明】
【図１】本発明の電子写真感光体製造用塗膜除去装置の概略説明図である。
【図２】同じく本発明の電子写真感光体製造用塗膜除去装置の一使用態様を示す概略説明図である。
【図３】本発明の電子写真感光体製造用塗膜除去装置のセットの仕方を示す説明図である。
【符号の説明】
１    拭き取り治具
２    自転ディスク
３    スプリング
４    支持部材
５    円筒状基体
【図１】
0003602907.tif 000003
【図２】
0003602907.tif 000004
【図３】
0003602907.tif 000005